(57)【要約】【課題】遊技機の外形寸法や玉貸機の設置状況等によって遊技機との間に生じた隙間を遮蔽してパチンコ玉が外へこぼれる等の不具合を解消することができる遊技機用玉計数装置の玉受皿を提供すること。【解決手段】遊技機２０の下皿に排出されるパチンコ玉を受けてその個数を計数しながら回収する遊技機用玉計数装置の一部を構成し、前記遊技機２０の下皿の下方、且つ、前記遊技機２０の前面側に配設されて前記下皿から落下するパチンコ玉を受ける玉受皿２は、当該玉受皿２と前記遊技機２０との間の隙間を遮蔽する、前後方向に移動可能な隙間遮蔽部材４を備える。【選択図】図５
2011092230.tif 000002
【特許請求の範囲】
【請求項１】
遊技機の下皿に排出されるパチンコ玉を受けてその個数を計数しながら回収する遊技機用玉計数装置の一部を構成し、前記遊技機の下皿の下方、且つ、前記遊技機の前面側に配設されて前記下皿から落下するパチンコ玉を受ける玉受皿であって、
当該玉受皿と前記遊技機との間の隙間を遮蔽する、前後方向に移動可能な隙間遮蔽部材を備えたことを特徴とする遊技機用玉計数装置の玉受皿。
【請求項２】
前記隙間遮蔽部材を付勢手段によって前記遊技機の前面側に付勢したことを特徴とする請求項１記載の遊技機用玉計数装置の玉受皿。
【請求項３】
前記隙間遮蔽部材を手前側に向かって下方に傾斜させたことを特徴とする請求項１又は２記載の遊技機用玉計数装置の玉受皿。
【請求項４】
前記隙間遮蔽部材の上面に弾性材を貼設したことを特徴とする請求項１〜３の何れかに記載の遊技機用玉計数装置の玉受皿。
【発明の詳細な説明】
【技術分野】
【０００１】
本発明は、遊技機の下皿の下方に配設されて下皿から落下するパチンコ玉を受けるための遊技機用玉計数装置の玉受皿に関するものである。
【背景技術】
【０００２】
従来、遊技機において遊技客が獲得したパチンコ玉は専用のケースに収納され、このケースを玉計数装置或いは景品交換所まで運び、獲得したパチンコ玉の個数を計数することが行われていた。
【０００３】
ところが、パチンコ玉の数が多い場合には、その数に比例してケース重量が重くなり、重いケースを玉計数装置或いは景品交換所まで運ぶ作業には多大な労力を要し、又、パチンコ玉が収容された複数のケースを遊技客の足下周辺に積み上げると他の遊技客や遊技場店員の通行の邪魔になる。更に、パチンコ玉がケースに収容されたままの状態では、このパチンコ玉は遊技に供せられないため、遊技場全体で必要なパチンコ玉の個数が多くなるという問題もある。
【０００４】
そこで、遊技客が獲得したパチンコ玉を遊技機に隣設された玉貸機の内部を通過させ、遊技機の背面側の遊技島内へと移送して回収するとともに、パチンコ玉を移送する過程でその個数を計数し、計数された個数をカード等の媒体に記憶させて該媒体を遊技客に提供し、遊技客は提供された媒体を景品交換所に持ち込んで所望の景品と交換するというシステムが提案されている（例えば、特許文献１参照）。
【０００５】
上記システムを構成する特許文献１記載の遊技機用玉計数装置は、遊技機の下皿の下方に配設された玉受皿と、玉貸機の内部に形成された計数通路と、該計数通路と前記玉受皿とを連結する連結通路と、前記計数通路に設けられた計数センサによって構成されている。
【０００６】
上述のように構成された遊技機用玉計数装置においては、遊技機の下皿から落下するパチンコ玉は玉受皿で受けられ、この受けられたパチンコ玉は、連結通路及び計数通路を移送された遊技機の背面側の遊技島内へと回収されるとともに、計数通路を移送される過程でその個数が計数センサによって計数される。
【先行技術文献】
【特許文献】
【０００７】
【特許文献１】特開２００９−０４５２０３号公報
【発明の概要】
【発明が解決しようとする課題】
【０００８】
ところで、昨今の遊技機においては、その外形寸法、特に最大突出部を含む厚さ寸法は機種によって異なることが多く、玉受皿を設置する際、遊技機の前面下部と玉受皿の背面との間に隙間が生じる場合があり、このような場合には下皿から玉受皿へと落下するパチンコ玉が跳ねたり、パチンコ玉同士の衝突によって玉受皿背面の隙間からパチンコ玉が玉受皿外へこぼれてしまうという不具合が発生する。
【０００９】
又、玉受皿は、玉貸機の内部に形成された計数通路に連結通路を介して連結されているため、玉貸機を遊技島に設置する際の誤差や施工状況等によって玉受皿の設置位置が影響を受け、この結果、遊技機の前面下部と玉受皿の背面との間に隙間が生じ、下皿から落下するパチンコ玉が隙間から玉受皿外へこぼれてしまうという問題が発生する。
【００１０】
本発明は上記問題に鑑みてなされたもので、その目的とする処は、遊技機の外形寸法や玉貸機の設置状況等によって遊技機との間に生じた隙間を遮蔽してパチンコ玉が外へこぼれる等の不具合を解消することができる遊技機用玉計数装置の玉受皿を提供することにある。
【課題を解決するための手段】
【００１１】
上記目的を達成するため、請求項１記載の発明は、遊技機の下皿に排出されるパチンコ玉を受けてその個数を計数しながら回収する遊技機用玉計数装置の一部を構成し、前記遊技機の下皿の下方、且つ、前記遊技機の前面側に配設されて前記下皿から落下するパチンコ玉を受ける玉受皿は、当該玉受皿と前記遊技機との間の隙間を遮蔽する、前後方向に移動可能な隙間遮蔽部材を備えることを特徴とする。
【００１２】
請求項２記載の発明は、請求項１記載の発明において、前記隙間遮蔽部材を付勢手段によって前記遊技機の前面側に付勢したことを特徴とする。
【００１３】
請求項３記載の発明は、請求項１又は２記載の発明において、前記隙間遮蔽部材を手前側に向かって下方に傾斜させたことを特徴とする。
【００１４】
請求項４記載の発明は、請求項１〜３の何れかに記載の発明において、前記隙間遮蔽部材の上面に弾性材を貼設したことを特徴とする。
【発明の効果】
【００１５】
請求項１記載の発明によれば、遊技機の機種によって異なる外形寸法のバラツキや、玉貸機の設置状況等によって、玉受皿と遊技機との間に隙間が生じた場合であっても、この隙間を遮蔽する、前後方向に移動可能な隙間遮蔽部材を設けたため、該隙間の大きさに関わらず、遊技機の外形寸法のバラツキや玉貸機の設置状況等の誤差を吸収し、玉受皿と遊技機との間に生じる隙間が隙間遮蔽部材によって確実に遮蔽され、遊技機の下皿から落下するパチンコ玉が隙間から玉受皿外へこぼれる等の問題が解消される。
【００１６】
請求項２記載の発明によれば、隙間遮蔽部材は付勢手段によって遊技機の前面側に付勢されているため、遊技機の外形寸法や玉貸機の設置状況等によって玉受皿と遊技機の前面下部との間に生じる隙間の大きさに関わらず、隙間遮蔽部材がパチンコ台遊技機の前面に常に当接して隙間を確実に遮蔽し、下皿から落下するパチンコ玉の隙間からのこぼれを確実に防ぐことができる。
【００１７】
請求項３記載の発明によれば、隙間遮蔽部材を手前側に向かって下方に傾斜させたため、遊技機の下皿から隙間遮蔽部材上に落下するパチンコ玉が傾斜に沿って玉受皿へと確実に流れ落ちて受けられる。
【００１８】
請求項４記載の発明によれば、遊技機の下皿からパチンコ玉が隙間遮蔽部材上に落下する際の衝撃が隙間遮蔽部材の上面に貼設された弾性材によって吸収されるため、パチンコ玉の飛び跳ねや騒音の発生が防がれる。
【図面の簡単な説明】
【００１９】
【図１】遊技機用玉計数装置を設置した遊技機の斜視図である。
【図２】遊技機用玉計数装置の斜視図である。
【図３】本発明に係る玉受皿を前面側から見た分解斜視図である。
【図４】本発明に係る玉受皿を背面側から見た分解斜視図である。
【図５】（ａ），（ｂ）は本発明に係る玉受皿の隙間遮蔽部材の作用を説明する部分側断面図である。
【図６】（ａ），（ｂ）は本発明に係る玉受皿にパチンコ玉が落下する様子を示す玉受皿部分の側断面図である。
【発明を実施するための形態】
【００２０】
以下に本発明の実施の形態を添付図面に基づいて説明する。
【００２１】
図１は遊技機用玉計数装置を設置した遊技機の斜視図、図２は遊技機用玉係数装置の斜視図、図３は本発明に係る玉受皿を前面側から見た分解斜視図、図４は同玉受皿を背面側から見た分解斜視図、図５（ａ），（ｂ）は同玉受皿の隙間遮蔽部材の作用を説明する部分側断面図、図６（ａ），（ｂ）は同玉受皿にパチンコ玉が落下する様子を示す玉受皿部分の側断面図である。
【００２２】
図１に示すように、遊技場等に設置されている遊技機２０の側部には玉貸機３０が隣設されており、この玉貸機３０の前面上部には縦方向に長いスリット状の紙幣挿入口３１が形成され、高さ方向中間部には水平方向に回動可能な玉払ノズル３２が設けられている。又、玉貸機３０の玉払ノズル３２の下方の前面下部には表示部３３が設けられている。
【００２３】
遊技機２０の前面には遊技客が獲得したパチンコ玉が排出される下皿２１が突設されており、この下皿２１の下方には本発明に係る玉受皿２が配置されている。
【００２４】
本発明に係る上記玉受皿２は、図２に示す玉計数装置１の一部を構成するものであって、玉計数装置１は、玉受皿２の他、前記玉貸機３０の内部に形成された不図示の計数通路と、該計数通路と玉受皿２とを連結する連結通路１１と、計数通路の途中に設けられた不図示の計数センサによって構成されている。尚、連結通路１１は玉受皿２から横方向に水平に延びた後、玉貸機３０に向かって略直角に折り曲げられ、その端部は玉貸機３０の内部に形成された計数通路に接続されている。そして、これらの連結通路１１と計数通路は、パチンコ玉の移送方向に沿って下がるよう傾斜している。又、前記計数センサとしては、金属製のパチンコ玉の通過を電磁気的に検知してそのパチンコ玉の個数を計数する貫通型近接スイッチ等が使用される。
【００２５】
次に、本発明に係る玉受皿２の構成と作用を図２〜図６に基づいて説明する。
【００２６】
本発明に係る玉受皿２は、上ケース２Ａと下ケース２Ｂを上下に接合一体化して矩形ボックス状に構成されている。そして、玉受皿２の上面には遊技機２０の下皿２１から落下するパチンコ玉を受ける玉受面２ａが形成され、該玉受面２ａの奥側には幅方向に沿うレール３が形成されており、前記玉受面２ａはレール３に向かって下がる斜面として形成されている。又、レール３は連結通路１１に向かって下がるよう傾斜しており、その幅方向一端（パチンコ玉の流れ方向下流端）は、玉受皿２の内側面に形成された矩形切欠き状の開口部２ｂを介して連結通路１１に接続されている。
【００２７】
而して、本実施の形態では、玉受皿２の背面側には、該玉受皿２の背面と遊技機２０の前面下部との間の隙間を遮蔽するための隙間遮蔽部材４が前後方向（遊技機２０の正面に向かって手前側と奥側）に移動可能に支持されている。この隙間遮蔽部材４は、横方向に細長いプレート状部材であって、その幅方向両端には矩形ブロック状の挿通部４Ａが前後方向に沿って一体に形成され、これらの挿通部４Ａの間の部分は玉受面４ａを形成している。そして、この玉受面４ａは、玉受皿２の前記レール３に向かって手前側に下がるよう傾斜しており、その上面にはゴム等の弾性材５が貼設されている。
【００２８】
又、隙間遮蔽部材４の幅方向両端に形成された前記挿通部４Ａの各内部には、図５に示すように、リブ状のバネ受け４ｂと水平に延びる丸棒状のバネ軸４ｃが一体に形成されており、各挿通部４Ａの底面には開口部４ｄが形成されている。そして、図３及び図４に示すように、各挿通部４Ａの内側には水平なプレート状のガイド片４ｅがそれぞれ一体に形成されている。
【００２９】
他方、図４に示すように、玉受皿２の上ケース２Ａの幅方向両端部には、隙間遮蔽部材４の幅方向両端部に形成された挿通部４Ａが挿通嵌合するための横断面矩形の挿通口２ｃがそれぞれ形成されており、各挿通口２ｃの内側には、隙間遮蔽部材４の幅方向両端部に形成された前記ガイド片４ｅが摺動可能に嵌合するためのスリット状のガイド２ｄが前後方向に沿って水平に形成されている。そして、図５に示すように、上ケース２Ａの各挿通口２ｃの内部にはリブ状のバネ受け２ｅが一体に形成されている。
【００３０】
又、図３及び図４に示すように、玉受皿２の下ケース２Ｂの奥側（後側）には幅方向に沿う２条の前記レール３が形成されており、このレール３の奥側の左右両端部（隙間遮蔽部材４の挿通部４Ａに対応する箇所）にはリブ状のストッパ２ｆが垂直に立設されている。
【００３１】
而して、上ケース２Ａと下ケース２Ｂを接合一体化して成る玉受皿２の上ケース２Ａの幅方向両端部に形成された挿通口２ｃには、図５に示すように（図５には一方のみ図示）、隙間遮蔽部材４の幅方向両端に形成された挿通部４Ａがそれぞれ挿通嵌合されるとともに、隙間遮蔽部材４の左右両端部に形成されたガイド片４ｅが上ケース２Ａの左右両端部に形成されたガイド溝２ｄに嵌合している（図３及び図４参照）。又、図５に示すように、隙間遮蔽部材４の左右両端部に形成された挿通部４Ａの内部に形成されたバネ軸４ｃの外周であって、該隙間遮蔽部材４側に形成されたバネ受け４ｂと玉受皿２側に形成されたバネ受け２ｅの間には付勢手段としての調整バネ６が縮装されている。
【００３２】
従って、隙間遮蔽部材４は、玉受皿２に前後方向（手前側及び奥側）に移動可能に支持されるとともに、調整バネ６によって奥側（遊技機２０の前面下部側）に付勢され、遊技機２０の前面下部に常に当接している。
【００３３】
ところで、遊技機２０の外形寸法や玉貸機の設置状況等によって台遊技機２０と玉受皿２との間に隙間が生じる場合があるが、隙間はその大きさに関わらず隙間遮蔽部材４によって常に遮蔽される。即ち、隙間遮蔽部材４は、隙間の大きさに応じて前後方向（手前側と奥側）に移動して隙間を確実に遮蔽する。
【００３４】
図５（ａ）には遊技機２０と玉受皿２との間に大きな隙間δが生じた場合の隙間遮蔽部材４の状態を示すが、このとき、隙間遮蔽部材４は、その幅方向両端部の挿通部４Ａの底面に形成された開口部４ｄの端面４ｄ−１が玉受皿２の下ケース２Ｂに立設されたストッパ２ｆに当接してその後方への移動が規制されるまで奥側に移動可能であって、このような状態においても、隙間遮蔽部材４は遊技機２０の前面下部に当接して隙間δを確実に遮蔽する。このような状態で、図６（ａ）に示すように、遊技機２０の下皿２１に排出されたパチンコ玉Ｓが下皿２１の底面に開口する開口孔２１ａから玉受皿２へと落下する場合、遊技機２０と玉受皿２との間の隙間δが隙間遮蔽部材４によって遮蔽されているため、遊技機２０の下皿２１から落下するパチンコ玉Ｓが隙間δから玉受皿２外へこぼれる等の問題が発生することがない。
【００３５】
即ち、落下時の飛び跳ねによって従来は遊技機２０と玉受皿２との間の隙間δからこぼれ落ちていたパチンコ玉Ｓは、隙間遮蔽部材４上に落下し、該隙間遮蔽部材４の傾斜に沿って玉受皿２のレール３へと流れ落ち、該レール３に沿って移送される。
【００３６】
又、図５（ｂ）には台遊技機２０と玉受皿２との間に殆ど隙間が生じない場合の隙間遮蔽部材４の状態を示すが、このとき、隙間遮蔽部材４は、前方（手前側）に最大限移動し、調整バネ６は最圧縮状態にある。このような状態で、図６（ｂ）に示すように、遊技機２０の下皿２１に排出されたパチンコ玉Ｓが下皿２１の開口孔２１ａから玉受皿２へと落下する場合、落下時の飛び跳ねによって隙間遮蔽部材４上に落下するパチンコ玉Ｓは、隙間遮蔽部材４の傾斜に沿って玉受皿２のレール３へと案内される。
【００３７】
而して、玉受皿２によって受けられたパチンコ玉Ｓは、レール３に沿って連結通路１１に向かって移送され、連結通路１１から不図示の計数通路を通って遊技機２０の背面側の遊技島内に回収されるとともに、計数通路を移送される過程で計数センサによってその個数が計数される。
【００３８】
以上のように、本実施の形態では、遊技機２０の機種によって異なる外形寸法のバラツキや、玉貸機３０の設置状況等によって、玉受皿２と遊技機２０との間に隙間が生じた場合であっても、この隙間を遮蔽する、前後方向に移動可能な隙間遮蔽部材４を設けたため、該隙間の大きさに関わらず、遊技機２０の外形寸法のバラツキや玉貸機３０の設置状況等の誤差を吸収し、玉受皿２と遊技機２０との間に生じる隙間が隙間遮蔽部材４によって確実に遮蔽され、遊技機２０の下皿から落下するパチンコ玉Ｓが隙間から玉受皿２外へこぼれる等の問題が解消される
【００３９】
又、本実施の形態では、隙間遮蔽部材４を調整バネ６によって遊技機２０の前面側に付勢するようにしたため、遊技機２０の外形寸法や玉貸機３０の設置状況等によって玉受皿２と遊技機２０の前面下部との間に生じる隙間の大きさに関わらず、隙間遮蔽部材４が遊技機２０の前面下部に常に当接して隙間を確実に遮蔽し、下皿２１から落下するパチンコ玉Ｓの隙間からのこぼれを確実に防ぐことができる。
【００４０】
更に、本実施の形態では、隙間遮蔽部材４をレール３に向かって手前側に下方に傾斜させたため、遊技機２０の下皿２１から隙間遮蔽部材４上に落下するパチンコ玉Ｓが隙間遮蔽部材４の傾斜に沿ってレール３へと確実に流れ落ちて受けられる。そして、この場合、遊技機２０の下皿２１からパチンコ玉Ｓが隙間遮蔽部材４上に落下する際の衝撃が隙間遮蔽部材４の上面に貼設された弾性材５によって吸収されるため、パチンコ玉Ｓの飛び跳ねや騒音の発生が防がれる。
【００４１】
尚、以上の実施の形態では、隙間遮蔽部材４を調整バネ６によって奥側に常時付勢する構成を採用したが、隙間遮蔽部材４の付勢手段による付勢に代えて、隙間遮蔽部材４を隙間の大きさに応じて玉受皿２から奥側に引き出して固定するラチェット機構等を採用しても良い。
【符号の説明】
【００４２】
１        玉計数装置（遊技機用玉計数装置）
２        玉受皿
２Ａ      玉受皿の上ケース
２Ｂ      玉受皿の下ケース
２ａ      玉受皿の玉受面
２ｂ      玉受皿の開口部
２ｃ      玉受皿の挿通口
２ｄ      玉受皿のガイド溝
２ｅ      玉受皿のバネ受け
２ｆ      玉受皿のストッパ
３        レール
４        隙間遮蔽部材
４Ａ      隙間遮蔽部材の挿通部
４ａ      隙間遮蔽部材の玉受面
４ｂ      隙間遮蔽部材のバネ受け
４ｃ      隙間遮蔽部材のバネ軸
４ｄ      隙間遮蔽部材の開口部
４ｄ−１  隙間遮蔽部材の開口部の端面
４ｅ      隙間遮蔽部材のガイド片
５        弾性材
６        調整バネ（付勢手段）
１１      連結通路
２０      遊技機
２１      遊技機の下皿
２１ａ    下皿の開口孔
３０      玉貸機
３１      玉貸機の紙幣挿入口
３２      玉貸機の玉払ノズル
３３      玉貸機の表示部
Ｓ        パチンコ玉
δ        遊技機と玉受皿との間の隙間
【図１】
2011092230.tif 000003
【図２】
2011092230.tif 000004
【図３】
2011092230.tif 000005
【図４】
2011092230.tif 000006
【図５】
2011092230.tif 000007
【図６】
2011092230.tif 000008